(57)【要約】【課題】光ファイバー用レセプタクルに接続した状態の光ファイバーケーブルを捻れなく且つ光ファイバケーブルの信号伝送特性を損なうことなく、巻き取り体の巻き付け部に巻き付けることができ、巻き付け作業性の向上と、施工者によるばらつきのない均一な余長処理の施工が行える光ファイバー用配線器具及びその施工方法を提供することにある。【解決手段】巻き取りケース５は、光ファイバーケーブル８の許容最小曲率半径以上の曲率半径を持つ円周状の巻き付け面を形成した一対の巻き付け部５０ａ、５０ｂをベース５ａ上に設けており、光コンセント１のカバー３に取り付けられたファイバー用レセプタクルに接続される光ファイバーケーブルの心線を両巻き付け部５０ａ、５０ｂ間で８の字に巻き付けて収納するようになっている。【選択図】図１
2005283681.tif 000002
【特許請求の範囲】
【請求項１】
造営構造物に開口した取付穴に取り付けられるコンセント本体及び該コンセント本体に設けられ前記コンセント本体の前面側に臨ませるプラグ接続口を有する光ファイバー用レセプタクルを備えた光コンセントと、光ファイバーケーブルの許容最小曲率半径以上の曲率半径を持つ円周状の巻き付け面を形成した一対の巻き付け部を設け前記造営構造物の内側に配線されて前記光ファイバー用レセプタクルに接続される光ファイバーケーブルを両巻き付け部間で８の字に巻き付けて収納する巻き取り体とを備え、前記巻き取り体を前記コンセント本体の後面側に取り付けて成ることを特徴とする光ファイバー用配線器具。
【請求項２】
一対の前記巻き付け部が、前記コンセント本体の後面側に巻き取り体を取り付けた状態で、前記コンセント本体の長手方向に並ぶように前記巻き取り体に設けていることを特徴とする請求項１記載の光ファイバー用配線器具。
【請求項３】
一対の前記巻き付け部の内、一方を前記コンセント本体の光ファイバー用レセプタクルに接続される光ファイバーケーブルの導入側とし、他方を光ファイバーケーブルの巻き付け開始用の巻き付け部としていることを特徴とする請求項１又は２記載の光ファイバー用配線器具。
【請求項４】
前記巻き取り体には、前記巻き付け部に巻き付ける前記光ファイバーケーブルの外被部位を固定する固定手段を複数箇所設けてあることを特徴とする請求項１乃至３の何れか記載の光ファイバー用配線器具。
【請求項５】
前記固定手段を前記巻き取り体とは別部材により形成して前記巻き取り体に取り付けることを特徴とする請求項４記載の光ファイバー用配線器具。
【請求項６】
前記巻き付け部には光ファイバーケーブルを係止して巻き付け状態を保持する爪部を複数設けていることを特徴とする請求項１乃至５の何れか記載の光ファイバー用配線器具。
【請求項７】
前記各巻き付け部を、円周上に所定の間隔で立設された複数のリブにより形成し、複数の前記リブの内の一部のリブに前記爪部を設けていることを特徴とする請求項６記載の光ファイバー用配線器具。
【請求項８】
巻き付け状態を保持する前記爪部が前記光ファイバーケーブルの外被部位を固定する固定手段を兼用していることを特徴とする請求項６又は７記載の光ファイバー用配線器具。
【請求項９】
前記巻き取り体には、該巻き取り体の外部に前記光ファイバーケーブルを引き出す引き出し手段を複数箇所設けていることを特徴とする請求項１乃至８の何れか記載の光ファイバー用配線器具。
【請求項１０】
前記引き出し手段を、一対の前記巻き付け部を設けた部位を囲むように形成された外周壁に設けた複数のノックアウトの何れかを開口して成る孔部としていることを特徴とする請求項９記載の光ファイバー用配線器具。
【請求項１１】
前記引き出し手段は、前記光ファイバーケーブルの外被部位を固定する固定手段を備え且つ前記巻き取り体とは別部材により形成されたものであって、前記巻き取り体に取り付けられることを特徴とする請求項９記載の光ファイバー用配線器具。
【請求項１２】
前記巻き取り体に、前記レセプタクルに接続される前記光ファイバーケーブルを前記巻き付け部側へ前記許容最小曲率半径以上の半径を持つ円弧面に沿ってガイドするガイド溝を設けていることを特徴とする請求項１乃至１１の何れか記載の光ファイバー用配線器具。
【請求項１３】
前記巻き取り体は、前記各巻き付け部に対応して設けられ対応する巻き付け部を開閉自在に被蔽する一対の蓋体を備えていることを特徴とする請求項１乃至１２の何れか記載の光ファイバー用配線器具。
【請求項１４】
前記巻き取り体の巻き付け部周辺には、前記光ファイバーケーブルを結束する結束帯を挿通させる挿通部を設けていることを特徴とする請求項１乃至１３の何れか記載の光ファイバー用配線器具。
【請求項１５】
前記巻き取り体の巻き付け部周辺には、光ファイバケーブルを挿通させて結束する透孔を貫通させた筒状体を設けていることを特徴とする請求項１乃至１４の何れか記載の光ファイバー用配線器具。
【請求項１６】
造営構造物に開口した取付穴に取り付けられるコンセント本体及び該コンセント本体に設けられ前記コンセント本体の前面側に臨ませるプラグ接続口を有する光ファイバー用レセプタクルを備えた光コンセントと、一対の巻き付け部を有し、前記造営構造物の内側に配線されて前記光ファイバー用レセプタクルに接続される光ファイバーケーブルを８の字に亘るように且つ光ファイバーケーブルの許容最小曲率半径以上の曲率半径で巻き付ける巻き取り体とを備え、前記巻き取り体を前記コンセント本体の後面側に取り付ける光ファイバー用配線器具の施工方法であって、
前記取付穴に導入せる前記光ファイバーケーブルの先部の外被を剥離した光ファイバー心線を前記光ファイバー用レセプタクルに接続した後、前記巻き取り体に設けられた一対の前記巻き付け部に対して８の字に巻き付けし、この巻き付け後に巻き取り体をコンセント本体の後面側に取り付けることを特徴とする光ファイバー用配線器具の施工方法。
【請求項１７】
前記コンセント本体が、ボディと、ポップアップ機構により前記ボディの開口部から出没自在に装着され、後面に前記光ファイバー用レセプタクルを設けたカバーとからなり、前記巻き付け部に対する光ファイバーケーブルの巻き付け作業を、前記カバーを光ファイバー用レセプタクルと共に前記ボディの前方へ突出させた状態で行うことを特徴とする請求項１６記載の光ファイバー用配線器具の施工方法。
【発明の詳細な説明】
【技術分野】
【０００１】
本発明は、造営構造物の壁裏や床下等に導入された光ファイバーケーブルを接続する光コンセントを用いた光ファイバー用配線器具及びその施工方法に関するものである。
【背景技術】
【０００２】
造営構造物の壁面に埋設されたボックス内に造営構造物を貫通させた光ファイバーケーブルを導入し、埋め込み型の電気用の配線器具と同様に規格化された取付枠により前記ボックスに取り付ける光コンセントからなる光ファイバー用配線器具が従来、提供されている。（特許文献１）
【特許文献１】特許第２７９３１８３号公報（第１図（ａ））
【発明の開示】
【発明が解決しようとする課題】
【０００３】
前記のような壁面に埋設したボックスに光コンセントを取り付ける光ファイバー用配線器具では、光ファイバーケーブルの信号伝送特性を損なわず、光通信の特性を満足させるために、光ファイバーケーブルの余長処理に手間がかかり、施工が複雑になっていた。また、余長処理や光ファイバーケーブルの許容最小曲率半径を確保することを考慮するために通常の配線器具に用いるスイッチボックスより大きなサイズのスイッチボックスを用いていた。
【０００４】
そのため光ファイバケーブルの信号伝送特性を損なうことなく、光ファイバーケーブルを光コンセントの光ファイバー用レセプタクルに容易に接続することができ、また施工者によるばらつきのない均一な施工が容易に行え、その上部品点数が少なくコストを低減できる光ファイバー用配線器具が希求されていた。
【０００５】
そこで本出願人は、スイッチボックス等に対応する取付枠に取り付けられる光コンセントと、この光コンセントの光ファイバー用レセプタクルに接続する光ファイバーケーブルを固定し且つ光ファイバーケーブルの許容最小曲率半径以上の曲率半径で巻き付ける巻き取り体と、該巻き取り体を保持する共にボディに着脱自在に取り付ける保持体とから構成された光ファイバー用配線器具を既に出願（特願２００３−２９９０９６号）しているが、この光ファイバー用配線器具では予め取り付け穴内に導入されている光ファイバーを光ファイバー用レセプタクルに接続した後、巻き取り体に巻き付ける場合、巻き取り体がリール状のため、造営構造物側で固定され光ファイバー用レセプタクルに接続された状態の光ファイバーケーブルを捻れなしに巻き付けることが困難であり、そのため先に巻き取り体に光ファイバーケーブルを巻き付けした後、光ファイバー用レセプタクルに接続しなければならず、施工が容易でないという問題があった。
【０００６】
本発明は、上述の問題点に鑑みて為されたもので、その目的とするところは、光ファイバー用レセプタクルに接続した状態の光ファイバーケーブルを捻れなく且つ光ファイバケーブルの信号伝送特性を損なうことなく、巻き取り体の巻き付け部に巻き付けることができ、巻き付け作業性の向上と、施工者によるばらつきのない均一な余長処理の施工が行える光ファイバー用配線器具及びその施工方法を提供することにある。
【課題を解決するための手段】
【０００７】
上述の目的を達成するために、請求項１の光ファイバー用配線器具の発明では、造営構造物に開口した取付穴に取り付けられるコンセント本体及び該コンセント本体に設けられ前記コンセント本体の前面側に臨ませるプラグ接続口を有する光ファイバー用レセプタクルを備えた光コンセントと、光ファイバーケーブルの許容最小曲率半径以上の曲率半径を持つ円周状の巻き付け面を形成した一対の巻き付け部を設け前記造営構造物の内側に配線されて前記光ファイバー用レセプタクルに接続される光ファイバーケーブルを両巻き付け部間で８の字に巻き付けて収納する巻き取り体とを備え、前記巻き取り体を前記コンセント本体の後面側に取り付けて成ることを特徴とする。
【０００８】
請求項１の光ファイバー用配線器具の発明によれば、光ファイバーケーブルを一対の巻き付け部に８の字に巻き付けるため、光ファイバーケーブルを予め光ファイバー用レセプタクルに接続した状態でも捻れなく且つ信号伝送特性を損なうことなく巻き取り体の巻き付け部に巻き付けることができ、そのため巻き付け作業性が向上し、その上施工者によるばらつきのない均一な余長処理の施工が行える。
【０００９】
請求項２の光ファイバー用配線器具の発明では、請求項１の発明において、一対の前記巻き付け部が、前記コンセント本体の後面側に巻き取り体を取り付けた状態で、前記コンセント本体の長手方向に並ぶように前記巻き取り体に設けていることを特徴とする。
【００１０】
請求項２の光ファイバー用配線器具の発明によれば、コンセント本体の巻き取り体を含んだ配線器具全体の幅寸法を小さくすることができ、そのためスイッチボックス等の限られたスペースの取り付け穴への取り付けを可能とする。
【００１１】
請求項３の光ファイバー用配線器具の発明では、請求項１又は２の発明において、一対の前記巻き付け部の内、一方を前記コンセント本体の光ファイバー用レセプタクルに接続される光ファイバーケーブルの導入側とし、他方を光ファイバーケーブルの巻き付け開始用の巻き付け部としていることを特徴とする。
【００１２】
請求項３の光ファイバー用配線器具の発明によれば、光ファイバーケーブルの許容最小曲率半径以上を確保しつつ光ファイバーケーブルの巻き付け作業も容易となる。
【００１３】
請求項４の光ファイバー用配線器具では、請求項１乃至３の何れかの発明において、前記巻き取り体には、前記巻き付け部に巻き付ける前記光ファイバーケーブルの外被部位を固定する固定手段を複数箇所設けてあることを特徴とする。
【００１４】
請求項４の光ファイバー用配線器具によれば、光ファイバーケーブルの長さに合わせて光ファイバーケーブルを固定することができ、結果ケーブル切断長さに余裕が持てる。
【００１５】
請求項５の光ファイバー用配線器具では、請求項４の発明において、前記固定手段を前記巻き取り体とは別部材により形成して前記巻き取り体に取り付けることを特徴とする。
【００１６】
請求項５の光ファイバー用配線器具の発明によれば、光ファイバーケーブルの長さに合わせて固定手段を取り付けて光ファイバーケーブルを固定することができ、結果ケーブル切断長さに余裕が持てる。
【００１７】
請求項６の光ファイバー用配線器具の発明では、請求項１乃至５の何れかの発明において、前記巻き付け部には光ファイバーケーブルを係止して巻き付け状態を保持する爪部を複数設けていることを特徴とする。
【００１８】
請求項６の光ファイバー用配線器具の発明によれば、光ファイバーケーブルを巻き付け部に巻き付ける作業が容易となる。
【００１９】
請求項７の光ファイバー用配線器具の発明では、請求項６の発明において、前記各巻き付け部を、円周上に所定の間隔で立設された複数のリブにより形成し、複数の前記リブの内の一部のリブに前記爪部を設けていることを特徴とする。
【００２０】
請求項７の光ファイバー用配線器具の発明によれば、光ファイバーケーブルの許容最小曲率半径以上を確保しつつ光ファイバーケーブルを巻き付けることができる上に、爪部の数を少なくすることによって巻き付け作業が容易となる。
【００２１】
請求項８の光ファイバー用配線器具の発明では、請求項６又は７の発明において、巻き付け状態を保持する前記爪部が前記光ファイバーケーブルの外被部位を固定する固定手段を兼用していることを特徴とする。
【００２２】
請求項８の光ファイバー用配線器具の発明によれば、光ファイバーケーブルを固定することができる手段が爪部により兼用されるため、構造の簡易化が図れる。
【００２３】
請求項９の光ファイバー用配線器具の発明では、請求項１乃至８の何れかの発明において、前記巻き取り体には、該巻き取り体の外部に前記光ファイバーケーブルを引き出す引き出し手段を複数箇所設けていることを特徴とする。
【００２４】
請求項９の光ファイバー用配線器具の発明によれば、光ファイバーケーブルの長さに合わせた巻き取り体からの引き出しが可能となり、ケーブル切断長さに余裕を持たせることができる。
【００２５】
請求項１０の光ファイバー用配線器具の発明では、請求項９の発明において、前記引き出し手段を、一対の前記巻き付け部を設けた部位を囲むように形成された外周壁に設けた複数のノックアウトの何れかを開口して成る孔部としていることを特徴とする。
【００２６】
請求項１０の発明によれば、光ファイバーケーブルの長さに対応する位置の孔部をノックアウトにより開口させことで、巻き取り体から光ファイバーケーブルを引き出すことができる。
【００２７】
請求項１１の光ファイバー用配線器具の発明では、請求項９の発明において、前記引き出し手段は、前記光ファイバーケーブルの外被部位を固定する固定手段を備え且つ前記巻き取り体とは別部材により形成されたものであって、前記巻き取り体に取り付けられることを特徴とする。
【００２８】
請求項１１の光ファイバー用配線器具の発明によれば、固定手段を備えた引き出し手段を光ファイバーケーブルの長さに合わせて巻き取り体に取り付けることで、固定と引き出しとができる。
【００２９】
請求項１２の光ファイバー用配線器具の発明では、請求項１乃至１１の何れかの発明において、前記巻き取り体に、前記レセプタクルに接続される前記光ファイバーケーブルを前記巻き付け部側へ前記許容最小曲率半径以上の半径を持つ円弧面に沿ってガイドするガイド溝を設けていることを特徴とする。
【００３０】
請求項１２の光ファイバー用配線器具の発明によれば、レセプタクルに接続した光ファイバーケーブルを巻き付け部に巻き付けるために巻き取り体側へ導入するに際に許容最小曲率半径を確保しつつ光ファイバーケーブルを導入できるとともに光ファイバーケーブルを保護することができる。
【００３１】
請求項１３の光ファイバー用配線器具では、請求項１乃至１２の発明において、前記巻き取り体は、前記各巻き付け部に対応して設けられ対応する巻き付け部を開閉自在に被蔽する一対の蓋体を備えていることを特徴とする。
【００３２】
請求項１３の光ファイバー用配線器具の発明によれば、各巻き付け部を亘るように８の字に光ファイバーケーブルをそれぞれの巻き付け部の巻き取るときに、巻き取り側でない巻き付け部側を蓋体で独立的に被蔽して当該巻き付け部に巻き付けしている光ファイバーケーブルのばらけを防止することができ、そのため巻き付け作業が容易に行えることになる。
【００３３】
請求項１４の光ファイバー用配線器具の発明によれば、請求項１乃至１３の何れかの発明において、前記巻き取り体の巻き付け部周辺には、前記光ファイバーケーブルを結束する結束帯を挿通させる挿通部を設けていることを特徴とする。
【００３４】
請求項１４の発明によれば、結束帯により光ファイバーケーブルのばらけを防止することができる。
【００３５】
請求項１５の光ファイバー用配線器具の発明では、請求項１乃至１３の何れかの発明において、前記巻き取り体の巻き付け部周辺には、光ファイバケーブルを挿通させて結束する透孔を貫通させた筒状体を設けていることを特徴とする。
【００３６】
請求項１５の発明によれば、筒状体の透孔内に光ファイバーケーブルを挿通させることで、光ファイバーケーブルのばらけを防止できる。
【００３７】
請求項１６の光ファイバー用配線器具の施工方法の発明では、造営構造物に開口した取付穴に取り付けられるコンセント本体及び該コンセント本体に設けられ前記コンセント本体の前面側に臨ませるプラグ接続口を有する光ファイバー用レセプタクルを備えた光コンセントと、一対の巻き付け部を有し、前記造営構造物の内側に配線されて前記光ファイバー用レセプタクルに接続される光ファイバーケーブルを８の字に亘るように且つ光ファイバーケーブルの許容最小曲率半径以上の曲率半径で巻き付ける巻き取り体とを備え、前記巻き取り体を前記コンセント本体の後面側に取り付ける光ファイバー用配線器具の施工方法であって、前記取付穴に導入せる前記光ファイバーケーブルの先部の外被を剥離した光ファイバー心線を前記光ファイバー用レセプタクルに接続した後、前記巻き取り体に設けられた一対の前記巻き付け部に対して８の字に巻き付けし、この巻き付け後に巻き取り体をコンセント本体の後面側に取り付けることを特徴とする。
【００３８】
請求項１６の光ファイバー用配線器具の施工方法の発明によれば、光ファイバーケーブルをレセプタクルに先に接続してから巻き付け部に巻き付けるため、巻き付け作業を容易にしつつ巻き付けのときの光ファイバーケーブルの捻れを無くすことができる。
【００３９】
請求項１７の光ファイバー用配線器具の施工方法の発明では、請求項１６の発明において、前記コンセント本体が、ボディと、ポップアップ機構により前記ボディの開口部から出没自在に装着され、後面に前記光ファイバー用レセプタクルを設けたカバーとからなり、前記巻き付け部に対する光ファイバーケーブルの巻き付け作業を、前記カバーを光ファイバー用レセプタクルと共に前記ボディの前方へ突出させた状態で行うことを特徴とする。
【００４０】
請求項１７の光ファイバー用配線器具の施工方法の発明によれば、光ファイバーケーブルの巻き付け作業後に、ポップアップ機構の機能を損なわない。
【発明の効果】
【００４１】
光ファイバー用配線器具の発明は、光ファイバーケーブルを一対の巻き付け部に８の字に巻き付けるため、光ファイバーケーブルを予め光ファイバー用レセプタクルに接続した状態でも捻れなく且つ信号伝送特性を損なうことなく巻き取り体の巻き付け部に巻き付けることができ、そのため巻き付け作業性が向上し、その上施工者によるばらつきのない均一な余長処理の施工が行えるという効果がある。
【００４２】
光ファイバー用配線器具の施工方法の発明は、光ファイバーケーブルをレセプタクルに先に接続してから巻き付け部に巻き付けるため、巻き付け作業を容易にしつつ巻き付けのときの光ファイバーケーブルの捻れを無くすことができるという効果がある。
【発明を実施するための最良の形態】
【００４３】
以下本発明を実施形態により説明する。
【００４４】
（実施形態１）
本実施形態の光ファイバー用配線器具は、図２（ａ）、（ｂ）に示すようにＪＩＳで規格化された大角形の１個モジュールの配線器具を３個取り付けることができる、例えば金属製の取付枠７に対して取り付けることができる３個モジュールの寸法で形成されたボディ２及びボディ２の前面部に開閉自在に枢支されるカバー３からなるコンセント本体とカバー３に取り付けられる光ファイバー用レセプタクル４とで構成される光コンセント１と、光ファイバー用レセプタクル４に接続する光ファイバーケーブル８を８の字状に巻き付けるための１対の巻き付け部５０ａ、５０ｂを一体に設けた巻き取り体たる巻き取りケース５と、取付枠７に対応する化粧カバー６と、後述する化粧プレート３０（図５（ｆ）参照）で構成される。
【００４５】
光コンセント１の主構成部材であるコンセント本体をカバー３とで構成するボディ２は上下方向が長手方向となった外形が略直方体状の合成樹脂成形体からなり、後面側は上半分が開口し、前面側はほぼ全面が開口している。そして左右の側壁２ａ、２ａの外面の上下位置には取付枠７の両側枠片の上下位置から後方へそれぞれ突出させた取付片７０に対応し、取付片７０の係止孔７０ａに内側から係止させ且つ取付片７０のかしめ変形で取付片７０に固定される係止突部９を設けてあり、ボディ２はこれらの係止突部９を取付片７０に固定することで取付枠７に固定されるようになっている。
【００４６】
また前面開口部１０の上側開口縁の上方に位置する前端面にはカバー３の回動軸１１を回動自在に左右方向に挿通させて支持する軸受部１２を前方へ突出形成している。
【００４７】
更にボディ２の底部は図３（ａ）、（ｂ）に示すように２重の底壁２ｂ、２ｃからなり、上側の底壁２ｂの前端は下方に垂下延長され、その延長壁の中央部を両側と切り離すとともに、中央部の上端部の両側のみ底壁２ｂの前端に連結させ、この連結部を中心として中央部を後下方へ撓み自在としている。また両側の連結部間にカバー３の下端中央に設けた係止突片３ｄを係脱自在に係止する係止孔１３ｂを設けてある。この係止孔１３ｂと前記中央部からなる弾性部１３ａとによりポップアップ用の操作部１３が構成される。
【００４８】
また更にボディ２の後面の下半分を覆う後壁２ｄの後面の中央部には巻き取りケース５の下部前面を当接支持する四方壁１４を設け、この四方壁１４の両側辺部の中央より後方へ一体突出させた巻き取りケース固定用の係止爪片１５を突出している。またこの四方壁１４の下辺部は下方に向けて突出する形の円弧状壁１４ａに形成されている。
【００４９】
またボディ２の上側の後方開口部は巻き取りケース５の後述する円弧状壁２０を臨ませる開口部となっている。この円弧状壁２０の外面と、前記円弧状壁１４ａの外面とが後述する光ファイバーケーブル８の外被８ｂ部位の余長処理のための巻き付け部を構成する。
【００５０】
一方ボディ２とでコンセント本体を構成するカバー３は合樹脂成形体からなり、長方形状の前面部３ａと、この前面部３ａの後面両側から後方へ延長形成した脚部３ｂ、３ｂと、後面上端部の両側に後方へ突出形成された軸保持部１７、１７とからなり、前面部３ａの後面側と脚部３ｂ、３ｂ間の空間部で光ファイバー用レセプタクル４を収納保持する収納部を構成している。また軸保持部１７、１７は対向面に回動軸１１の両端を支持する軸孔１８を貫通形成したもので、この軸保持部１７、１７間にボディ２側の軸受部１２を介在させ、一方の軸保持部１７の軸孔１８、軸受部１２の軸受凹部１２ａ、他方の軸保持部１７の軸孔１８に回動軸１１を挿通させることで、カバー３の上端部を回動自在にボディ２に枢支するようになっている。
【００５１】
光ファイバー用レセプタクル４は、合成樹脂成形体からなる直方体状の中空部材からなるハウジング４０として用い、このハウジング４０は前部（カバー３に取り付けたときに下部となる）側の外周面を後部（カバー３に取り付けたときには上部となる）側の外周面より突出させ、また内部においては隔壁により内部空間を左右に仕切り、それぞれの空間部の中間を光ガイド筒体（図示せず）を収納する収納部とし、また空間部の前部側をプラグ接続部４１とし、後部側をケーブル接続部４２としている。プラグ接続部４１は光ファイバー用プラグ（図示せず）を差し込むためのものであって、このプラグ接続部４１に光ファイバー用プラグ（図示せず）が差し込み接続されることで上述の光ガイド筒体のガイド孔を介してケーブルブル接続部４２側に接続される光ファイバーケーブル８と、光ファイバー用プラグ（図示せず）に接続されている光ファイバーケーブル（図示せず）との間が光結合されるようになっている。尚光ファイバー用プラグ（図示せず）を接続していない非使用状態では、光ファイバーケーブル８を介して送られてくるレーザー光がプラグ接続部４１側に漏出することになるため、外部への漏出を防止する保護扉（図示せず）をそれぞれのプラグ接続部４１の開口内に設けてある。この保護扉は光ファイバー用プラグ（図示せず）が開口より差し込まれる際にその差し込み力により開くようになっているが、ここでは構造の詳細な説明は省略する。
【００５２】
このような構成の光ファイバー用レセプタクル４をカバー３に固定するには図２（ａ）に示す押さえ金具１９と、各脚部３ｂの内側面に設けたハウジング４０の前部から後部に亘る前面（カバー３の後面側に対向させる面）側形状に合致する段部３ｃとの間でハウジング４０を挟持させることで行う。つまり押さえ金具１９は両側に脚部３ｂ、３ｂの内側面に沿わせて配置する脚片１９ａ、１９ａと、光ファイバー用レセプタクル４のハウジング４０の後面（カバー３とは反対側となる面）に当接する当接片１９ｂと、この当接片１９ｂの下端より後方斜めに延長形成された斜片１９ｃと、この斜片１９ｃの両側縁より前方へ突出し、ハウジング４０の前部の後面に先端面を当接する突片１９ｄ、１９ｄとを備えている。この押さえ金具１９を用いて光ファイバー用レセプタクル４のハウジング４０をカバー３に固定するに当たっては、まず脚部３ｂ、３ｂ間にハウジング４０を挿入してハウジング４０の前面部両側を前記段部３ｃと合わせるとともに、ハウジング４０の前部の先端をカバー３の後面下端に突出形成しているリブ３ｅに当てて位置決めを行う。次にこの位置決め後、この状態で脚部３ｂ、３ｂ間に押さえ金具１９を挿入して当接片１９ｂをハウジング４０の後部の後面に当接させるとともに、突片１９ｄ、１９ｄの先端にハウジング４０の前部を当接し、脚部３ｂ、３ｂに設けた挿通孔２１、２１から外部より挿通させた螺子２２、２２を脚片１９ａ、１９ａに設けた螺子孔２３、２３にそれぞれ螺入させて締め付けて、押さえ金具１９を脚部３ｂ、３ｂ間に固定すれば、光ファイバー用レセプタクル４のハウジング４０がカバー３に固定されることになる。
【００５３】
次に光コンセント１の組み立てについて説明する。
【００５４】
まずカバー３をボディ２に組み付けるに当たっては、図２（ａ）に示すように中央部をコ字状に折り曲げ形成し、両端部に捻り部２４ａ、２４ａを形成したばね体２４を取り付ける。つまりこの取り付けでは、ボディ２の軸受部１２の下面側にばね体２４の中央部を係止するとともに両端の捻り部２４ａ、２４ａを軸受部１２の両端部の裏側に形成した孔（図示せず）を介して軸受部１２の両端の裏部に形成せる凹所（図示せず）内に嵌め込み、軸受部１２の軸受凹部１２ａの両端開口と捻り部２４ａ、２４ａの透孔とを連通させるのである。
【００５５】
次にカバー３の軸保持部１７、１７間に軸受部１２を介在させるようにボディ２の前面側にカバー３を配置して一方の軸保持部１７の軸孔１８から一方の捻り部２４ａの透孔、軸受部１２の軸受凹部１２ａ、他方の捻り部２４ａの透孔、他方の軸保持部１７の軸孔１８に回動軸１１を挿入する。
【００５６】
またばね体２４の捻り部２４ａ、２４ａから延長された各延長部２４ｂ、２４ｂはカバー３の前面部３ａの後面に弾接してカバー３をボディ２の前部から前方へ突出させる方向に回動させる付勢力を与えるようになっている。
【００５７】
このようにしてカバー３は、ばね体２４により回動軸１１を中心として下端側がボディ２の前面部より前方へ突出する方向に回動する付勢力が与えられる状態でボディ２に上端部が枢支される。このとき脚部３ｂ、３ｂの先部はボディ２の後壁２ｄの両側に設けている孔（図示せず）によりボディ２の後方へ突出する（図３（ａ）参照）。
【００５８】
このようにしてボディ２にカバー３を装着し、カバー３に光ファイバー用レセプタクル４を取り付けることで本実施形態の光コンセント１が完成される。図３（ａ）はばね体２４の付勢力に抗してカバー３をボディ２の前部側に回動させカバー３の下端の係止突片３ｄを、ポップアップ用操作部１３の弾性部１３ａの弾性力を利用して係止孔１３ｂに係止させた状態を示しており、このときカバー３は前面部３ａがポップアップ用操作部１３の前面とほぼ同一高さとなった状態に保持され、前面部３ａの後方に取り付けた光ファイバー用レセプタクル４は図示するようにボディ２内に収納されている状態となる。
【００５９】
この状態でポップアップ用操作部１３を弾性部１３ａの弾性力を利用して下向きかげんに押し操作すると、係止突片３ｄの先端が係止孔１３ｂから離脱し、これによりカバー８がばね体２４の付勢力により回動軸１１を中心として図において反時計方向に回動し、図３（ｂ）に示すように上端部から下端部にかけて前面部３ａが下り傾斜するようにボディ２の前面開口部２ａより前方へ突出することになり、下端部とボディ２の前部との間から光ファイバー用レセプタクル４のプラグ接続部４１が下向きに外部に臨むことになる。この状態がプラグ接続を行う使用状態となる。
【００６０】
而してばね体２４と弾性片１３と押しボタン１４とがカバー３及び光ファイバー用レセプタクル４をポップアップさせるためのポップアップ機構として機能することになる。
【００６１】
一方光ファイバーケーブル８の余長部分の処理に用いる巻き取りケース５は合成樹脂成形体により形成され、コンセント本体のボディ２の後部に着脱自在に取り付けられるもので、ボディ２の長手方向と同じ方向が長手方向となったベース５ａとこのベース５ａの周縁部に一体突出させた周壁５ｂとから形成される扁平なケース部と、このケース部内のベース５ａの表面（以後後面という）の上下の位置に所定間隔をあけて設けられた巻き付け部５０ａ、５０ｂと、ベース５ａの裏面（以下前面という）側上部に一体に形成され、中央部から両側下方へ延びた円弧状壁２０と、この円弧状壁２０の中央上端部の前端位置から後方向に延びベース５ａの後面の上端から巻き付け部５０ａの中央部に至るように形成しされた円弧状溝からなるガイド溝１６と、図１（ａ）〜（ｃ）に示すように側縁が片側の周壁５ｂの先端に一体連設され、この連設位置をヒンジとして開閉自在に枢支され各巻き付け部５０ａ、５０ｂを各別に被蔽することができる蓋体５１ａ、５１ｂとを備えている。
【００６２】
ここで各巻き付け部５０ａ、５０ｂは、円周上に所定の間隔をあけて並ぶようにベース５ａ上に一体突出させた複数のリブ５００の外向き円弧面を光ファイバーケーブル８の巻き付け面としたもので、この巻き付け面を延長し連結して形成される円周の半径が光ファイバーケーブル８の許容最小曲率半径以上となるようにリブ５００の円弧の径を設定している。そして上側の巻き付け部５０ａの内側中央部には前記ガイド溝１６の下端が臨み、下側の巻き付け部５０ａのデッドスペースとなる円周内に位置するベース５ａにはボディ２の後部から突出される係止爪片１５を前面側から挿入して係止する係止孔２５をそれぞれの係止爪片１５に対応するように設けてある。
【００６３】
また更に適宜なリブ５００の先端には外向きに光ファイバーケーブル８の巻き取り用の爪部５０１を図１（ｄ）に示すように一体に突出させている。更に周壁５ｂには適当な間隔で切り欠いて光ファイバーケーブル８を外部へ引き出すための引き出し孔２６を複数設けてある。更に前記のガイド溝１６の下端近傍にはガイド溝１６から導入された光ファイバーケーブル８をまとめるための掛止爪２７を二つ設けてある。
【００６４】
尚図１（ｃ）では蓋体５１ａ、５１ｂを省略して示している。勿論光ファイバーケーブル８のばらけ防止手段を設ける場合には、蓋体５１ａ、５１ｂを設けなくても良い。
【００６５】
次に本実施形態の光ファイバー用配線器具を、壁パネルやコンクリート壁のような壁を構成する造営構造物の外面に開口するように造形構造物に埋設したスイッチボックスにより構成される取付穴に配設する施工について説明する。尚施工前に当たり光コンセント１は取付枠７に取り付けられているものとする。
【００６６】
而してまず図４（ａ）に示すように造営構造物内に予め配線されている光ファイバーケーブル８をスイッチボックスＢＯＸ（図５（ｂ）参照）の取付穴Ｈから引き出して、光ファイバーケーブル８の外被を剥離してむき出した光ファイバー心線８ａの先端に設けた接続具２８を、光コンセント１の光ファイバー用レセプタクル４の後端のケーブル接続部４２に差し込み接続する。この接続後、図４（ｂ）に示すようにボディ２側の係止爪片１５を、巻き取りケース５側の係止孔２５に係止させて巻き取りケース５をボディ２の後部に取り付ける。
【００６７】
この取り付け後、カバー３をポップアップさせて前方へ突出させた状態で光ファイバーケーブル８の巻き付け作業を開始する。
【００６８】
この巻き付け作業では一方の手で取付枠７を持ちながら、他方の手で最初に光ファイバーケーブル８の心線８ａ部位をボディ２の後部開口より後方に導出してガイド溝１６を介して図４（ｃ）に示すように周壁５ｂで囲まれる巻き取りケース５内に引き込み、更に掛止爪２７に光ファイバーケーブル８の心線８ａを引っ掛けながら、取り付け時に下側となる巻き付け部５０ｂのリブ５００により形成される巻き付け面に沿って巻き付けを開始する。
【００６９】
そして図４（ｄ）に示すように巻き付け部５０ｂでの巻き付けが一周したところで、上側の巻き付け部５０ａ側にＳ字状に渡し、巻き付け部５０ａのリブ５００の巻き付け面に沿うように巻き付け、この巻き付けが一周したところで下側の巻き付け部５０ｂ側にＳ字状に渡し、引き続いて巻き付け部５ｂでの巻き付けを行う。このようにして巻き付け部５０ａ、５０ｂ間で交互に巻き付けを行うことで、光ファイバーケーブル８の心線８ａは８の字状に巻き付けることになる。
【００７０】
ここで交互に巻き付け方向を変えながら巻き付けを行うため光ケーブルファイバー８が巻く付け作業中に捻れることがなく、また光ファイバーケーブル８を巻き取りケース５内に導入する際、許容最小曲率半径以上の半径を持たせて形成した円弧状溝からなるガイド溝１６に沿って導入するため、信号伝送特性の劣化を招くことがない。更に適宜なリブ５００に巻き取り用の爪部５０１を形成しているため、巻く付け作業中に心線８ａが巻き付け面から脱落することなく、巻く付け作業が効率良く行える。この爪部５０１を含むリブ５００の形状は巻き取りケース５を成形する際にベース５ａの面に対して直交するように配置される上、下金型を成形後に成形されたベース５ａの面に対して直交する方向（上下方向）に抜くことができるような形状とし、成形に用いる金型の構造の単純化を図ることができるようになっている。
【００７１】
さて図４（ｅ）に示すように光ファイバーケーブル８の外被８ｂ部位に至る心線８ａの巻き付けが終了すると、光ファイバーケーブル８の外被８ｂ部位を更に巻き付けられた心線８ａの外側において巻き付けを行い（図５（ａ）、（ｂ）参照）、最適な位置の引き出し孔２６から光ファイバーケーブル８の外被８ｂ部位を周壁５ｂ外へ引き出す（図６（ａ）又は（ｂ）参照）。この引き出し後、図５（ｃ）に示すように蓋体５１ａ、５１ｂを閉じる。蓋体５１ａ、５１ｂの閉じた状態の保持はヒンジ部位と反対側の側端縁を対応する周壁５ｂの上端に設けてある係止爪５ｃにスナップフィットによって係脱自在に係止させることで行う。尚蓋体５１ａ、５１ｂに形成している孔５１０及び切り欠き５１１はリブ５００の先端の爪部５０１を逃がすためのものである。
【００７２】
尚上述の手順では巻き取りケース５内での巻き付け作業終了後に蓋体５１ａ、５１ｂを閉じているが、心線８ａの、巻き付け作業過程において、一方の巻き付け部５０ａ又は５０ｂに対応する巻き付けを行っている最中は、他方の巻き付け部５０ｂ又は５０ａに対応する蓋体５ｂ又は５１ａを閉じるようにすれば、他方側の巻き付け部５０ｂ又は５０ａに巻き付けてある光ファイバーケーブル８の心線８ａがばらけるのを防ぐことができ、そのため容易に巻き付け作業が行えることになる。
さて、上述のように巻き取りケース５内での巻き付け作業が終了して蓋体５１ａ、５１ｂを閉じた後に、更に光ファイバーケーブル８の切断長によっては更なる余長処理を行う必要がある。この余長処理は巻き取りケース５のベース５ａと、ボディ２との間で形成される溝内において、上述の余長用巻き付け部を構成する円弧状壁２０、１４ａの外面に沿わせるよう光ファイバーケーブル８の外被８ｂ部位の余長分を巻き付けることで行う。そして余長用巻き付け部に巻き付けられた光ファイバーケーブル８の外被８ｂ部位の余長分が溝内に納まることになって、巻き取りケース５の周囲から殆どはみ出すがない。従ってまたボディ２と巻き取りケース５との間のデッドスペースを有効利用できるため奥行き方向の寸法も大きくする必要がなく、そのため浅型のスイッチボックスへの取り付けも可能となる。
【００７３】
さて巻き取りケース５外での余長処理が終了し、図５（ｄ）に示すように余長部分の光ファイバーケーブル８がばらけないように光コンセント１を片手で持ちながら取付穴Ｈ内に入れ、図５（ｅ）に示すように取付枠７の上下枠片に設けてある取付孔７ａ、７ａをスイッチボックスＢＯＸの上下の螺子孔２９に合わせ、取り付け螺子（図示せず）を取付孔７ａ、７ａを介して螺子孔２９に螺入締結して光コンセント１を取付枠７とともに取付穴Ｈに取り付ける。この取り付け後、化粧カバー６の開口部の周縁から後方へ突出させた上下両側の係止爪６ａ…をボディ２の前面に設けた係止孔（図示せず）に係止することで取り付けて光コンセント１の前面部を化粧カバ−６の開口部より前方に臨ませる。この後図５（ｆ）に示すように化粧プレート３０を前方より嵌め込んで化粧プレート３０の開口部３０ａより化粧カバー６及び光コンセント１の前部を露出させ、本発明の光ファイバー用配線器具の取付施工が完了することになる。
【００７４】
尚上述の施工手順では、光ファイバー用レセプタクル４を先にカバー３側に取り付け、この取り付けた後に光ファイバーケーブル８を光ファイバー用レセプタクル４に接続する構成であったが、カバー３に取り付ける前の光ファイバー用レセプタクル４に光ファイバーケーブル８を接続し、その後光ファイバー用レセプタクル４をカバー３に取り付けても勿論良い。
（実施形態２）
実施形態１では光ファイバーケーブル８を取り付けケース５外へ引き出すために周壁５ｂに予め引き出し孔２６を設けていたが、本実施形態は周壁５ｂにおいて引き出し位置として適切な複数の位置に、図７（ａ）に示すようにノックアウト部３１を設け、実際に光ファイバーケーブル８を引き出す際に、図７（ｂ）に示すように引き出し位置に存在するノックアウト部３１をノックアウトして孔部を開口し、この孔部を引き出し孔２６とするようになっている。
（実施形態３）
前記実施形態１では光ファイバーケーブル８を取り付けケース５外へ引き出すために周壁５ｂに引き出し孔２６を設け、また巻き付け部５０ａ、５０ｂを構成するリブ５００とこのリブ５００に対向する周壁５ｂとの間で光ファイバーケーブル８を固定する固定部を構成しているが、本実施形態では、図８（ａ）に示すように天井片３２ａと、天井片３２ａの下面の四隅から脚片３２ｂ…を突出させ、天井片３２ａと脚片３２ｂ…とで囲まれ空間で光ファイバーケーブル８の固定する固定部位とするとともに、光ファイバーケーブル８を巻き取りケース５より外部に引き出す引き出し手段を兼用したホルダー３２を用いたものである。また本実施形態の巻き取りケース５は、実施形態１の巻き取りケース５においてベース５ａ上の４隅に存在していた周壁５ｂを無くし、この４隅の部位に図８（ｂ）に示すようにホルダー３２の４つの脚片３２ｂ…の先端の爪３２ｃを係止する４つの係止孔３３…を設け、光ファイバーケーブル８の外被８ｂを固定したい位置及び引き出す位置に対応する各場所の係止孔５ｄ…にホルダー３２の脚片３２ｂの爪３２ｃを係止させて当該部位にホルダー３２を固定して使用する。この際光ファイバーケーブル８の外被８ｂの対象部位に被せるようにしてホルダー３２を取り付け、引き出し位置に取り付けたホルダー３２では端部の脚片３２ｂ、３２ｂ間から光ファイバーケーブル８を周壁５ｂ外へ引き出すのである。
【００７５】
尚図８では蓋体５１ａ、５１ｂを省略して図示しているが、実施形態１と同様に設けているのは言うまでもない。勿論巻き付け作業中のばらけが防止できるのであれば、蓋体５１ａ、５１ｂを省いてもよい。
（実施形態４）
前記実施形態１乃至３では巻き付け部５０ａ、５０ｂに巻き付ける光ファイバーケーブル８の心線８ａや外被８ｂの部位のばらけを防止するために、図９（ａ）に示すように結束帯３４を用いて結束するようにしても良く、結束される光ファイバーケーブル８の両側位置のベース５ａには結束帯３４をベース５ａの表裏を介して回すための挿通部たる孔３５を設けてある。
【００７６】
結束帯３３の代わりに図９（ｂ）、（ｃ）に示すように光ファイバーケーブル８（の心線８ａ）を挿通する筒状体３６をベース５ａ上に一体に形成しても良い。この筒状体３６は心線８ａを透孔３６ｂ内に入れるための開口部３６ａを両端全長に亘るように設けるとともに、透孔３６ｂ内に入れた光ファイバーケーブル８（の心線８ａ）が脱落しないようにし、開口部３６ａの開口縁に一側端が一体に連結されてヒンジ部となった扉３７を開閉自在に設けてある。この扉３７の他側端には筒状体３６の上面に設けた係止孔３６ｃにスナップフィットで係止する係止爪３７ａを設け、閉じた状態が保持されるようになっている。勿論光ファイバーケーブル８を透孔３６ｂ内に入れる際には係止爪３７ａを係止孔３６ｃから離脱させれば扉３７を開くことができる。図９（ｄ）は巻き取りケース５を後方から見た図である。
【００７７】
尚筒状体３６の開口部を基部付近に設けて、基部より上側の周壁部位で光ファイバーケーブル８を保持できるようにすれば扉が不要となる。また扉３７の位置や形式は実施形態に特に限定されるものではない。
【００７８】
尚図９では蓋体５１ａ、５１ｂを省略して図示しているが、実施形態１と同様に設けているのは言うまでもない。勿論巻き付け作業中のばらけが防止できるのであれば、蓋体５１ａ、５１ｂを省いてもよい。
【図面の簡単な説明】
【００７９】
【図１】実施形態１を示し、（ａ）は巻き取りケースの蓋体を開いた状態の斜視図、（ｂ）は巻き取りケースの蓋体を閉じた状態の斜視図、（ｃ）は蓋体を省略した状態の斜視図、（ｄ）は同上の要部の拡大斜視図である。
【図２】実施形態１を示し、（ａ）は分解斜視図、（ｂ）は斜視図である。
【図３】実施形態１を示し、（ａ）は巻き取りケースをボディから外し且つカバーを閉じた状態で光ファイバー用レセプタクルに光ファイバーケーブルを接続している様子を示す側断面図、（ｂ）は巻き取りケースをボディに取り付け且つカバーをポップアップさせた状態を示す側断面図である。
【図４】実施形態１の施工説明図である。
【図５】実施形態１の施工説明図である。
【図６】実施形態１を示し、（ａ）は巻き取りケースから光ファイバーケーブルを引き出す一例を示す状態図、（ｂ）は実施形態１は巻き取りケースから光ファイバーケーブルを引き出す他例を示す状態図である。
【図７】実施形態２を示し、（ａ）は実施形態２に用いるノックアウト部の一部省略且つ破断せる斜視図、（ｂ）は同上ノックアウトの使用状態図である。
【図８】実施形態３を示し、（ａ）は実施形態３に用いるホルダーの斜視図、（ｂ）は同上のホルダーの使用状態図である。
【図９】実施形態４のばらけ防止手段を示し、（ａ）は結束帯を用いた一例の使用状態図、（ｂ）は他の手段である筒状体の扉を閉じた状態の一部省略且つ破断せる斜視図、（ｃ）は同上の筒状体の扉を開いた状態の一部省略且つ破断せる斜視図、（ｄ）は同上の筒体の使用状態図である。
【符号の説明】
【００８０】
１  光コンセント
２  ボディ
３  カバー
５  巻き取りケース
５０ａ、５０ｂ  巻き付け部
【図１】
2005283681.tif 000003
【図２】
2005283681.tif 000004
【図３】
2005283681.tif 000005
【図４】
2005283681.tif 000006
【図５】
2005283681.tif 000007
【図６】
2005283681.tif 000008
【図７】
2005283681.tif 000009
【図８】
2005283681.tif 000010
【図９】
2005283681.tif 000011